(57)【要約】  【課題】冷水タンクはもとより他の箇所でも細菌の増殖が持続的に抑制され、衛生的な飲料を供給できる飲料供給装置を提供することにある。  【解決手段】ミネラル水等の飲料が貯留された飲料ボトル１０と、飲料ボトル１０から導出された飲料に塩素を付加する塩素発生器３０と、塩素発生器３０から導出された飲料を冷却する冷水タンク４０と、冷水タンク４０から導出された飲料を注水する注水管５０とを備えた構造となっている。これにより、飲料ボトル１０から導出され飲料に対して塩素発生器３０で発生した塩素が付加されるため、飲料中の有効塩素濃度が高くなる。有効塩素濃度が高くなった飲料水が冷水タンク４０で冷却され、注水管５０を通じて飲料者に提供される。【選択図】  図１
2006176179.tif 000002
【特許請求の範囲】
【請求項１】
ミネラル水等の飲料が貯留された飲料貯留部と、
前記飲料貯留部から導出された飲料に塩素を付加する塩素発生部と、
前記塩素発生部から導出された飲料を冷却する飲料冷却部と、
前記飲料冷却部から導出された飲料を注水する注水管路とを備えた
飲料供給装置。
【請求項２】
前記飲料貯留部の飲料出水量を調整するリザーブタンク部を有する
ことを特徴とする請求項１記載の飲料供給装置。
【請求項３】
前記塩素発生部は前記飲料貯留部の飲料出水量を調整可能に形成した
ことを特徴とする請求項１記載の飲料供給装置。
【請求項４】
前記塩素発生部は飲料に直流電圧を印加する一対の電極を有する
ことを特徴とする請求項１乃至請求項３の何れか一項記載の飲料供給装置。
【請求項５】
前記リザーブタンクへ無機系塩化物を供給可能な塩化物供給部を有する
ことを特徴とする請求項４記載の飲料供給装置。
【請求項６】
前記飲料貯留部へ無機系塩化物を供給可能な塩化物供給部を有する
ことを特徴とする請求項４記載の飲料供給装置。
【請求項７】
前記飲料貯留部の少なくとも一部は抗菌部材を含有してなる
ことを特徴とする請求項１乃至請求項６の何れか一項記載の飲料供給装置。
【請求項８】
前記リザーブタンクの少なくとも一部は抗菌部材を含有してなる
ことを特徴とする請求項２乃至請求項６のいずれか一項記載の飲料供給装置。
【請求項９】
前記抗菌部材は、金、銀及び銅の何れかの金属を含む
ことを特徴とする請求項７又は請求項８記載の飲料供給装置。
【請求項１０】
水道水等の原水を導水する給水管路と、
前記給水管から導出された飲料に塩素を付加する塩素発生部と、
前記塩素発生部から導出された飲料を冷却する飲料冷却部と、
前記飲料冷却部から導出された飲料を注水する注水管路とを備えた
飲料供給装置。
【請求項１１】
前記塩素発生部は飲料に直流電圧を印加する一対の電極を有する
ことを特徴とする請求項１０記載の飲料供給装置。
【請求項１２】
前記塩素発生部へ無機系塩化物を供給可能な塩化物供給部を有する
ことを特徴とする請求項１１記載の飲料供給装置。
【請求項１３】
前記塩化物供給部は、塩化物を収納する塩化物収納タンクと、該塩化物収納タンクに収納された塩化物を導出する塩化物導出管路と、該塩化物導出管路から導出されるの塩化物供給量を制御する制御弁とを有する
ことを特徴とする請求項５、請求項６又は請求項１２記載の飲料供給装置。
【請求項１４】
前記塩素発生部の飲料を前記飲料冷却部に導く飲料用導水管路と、該塩素発生部の飲料を外部に導く洗浄用導水管路とを有する
ことを特徴とする請求項１乃至請求項１３の何れか一項記載の飲料供給装置。
【請求項１５】
前記洗浄水導水管路内の流量を検知する流量検知手段を有する
ことを特徴とする請求項１４記載の飲料供給装置。
【発明の詳細な説明】
【技術分野】
【０００１】
本発明は、天然水等の飲料水を供給する飲料供給装置に関するものである。
【背景技術】
【０００２】
従来、この種の飲料供給装置として、特開２０００−８５８９３号公報に記載されたものが知られている。
【０００３】
この飲料供給装置では、飲料貯留部から冷水タンク及び温水タンクにミネラル水等の飲料水が供給され、冷水タンクに供給された飲料水は冷却装置によって冷却されて冷水となり、一方、温水タンクに供給された飲料水はヒータによって加熱されて温水となる。ここで、冷水バルブを開くときは冷水タンクの蛇口から冷水が注出され、温水バルブを開くときは温水タンクの蛇口から温水が注出される。
【０００４】
また、飲料供給装置は細菌繁殖防止用の冷水循環装置と紫外線殺菌器とを有し、冷水循環装置の駆動により冷水タンクの飲料水が循環撹拌される一方、紫外線殺菌器への通電により冷水タンク内に紫外線が照射され、冷水タンク内の細菌の繁殖が防止される。
【特許文献１】特開２０００−８５８９３号公報
【発明の開示】
【発明が解決しようとする課題】
【０００５】
しかしながら、前記従来の飲料供給装置では、紫外線殺菌される箇所は冷水タンクのみであり、他の箇所での細菌の増殖を抑制できなかった。また、紫外線を照射している間は細菌の増殖を抑制できるが、一旦、紫外線照射を停止した後は再び細菌が増殖し、この紫外線殺菌方法では殺菌効果の持続性に欠けるという問題点を有していた。
【０００６】
本発明の目的は前記従来の問題点に鑑み、冷水タンクはもとより他の箇所でも細菌の増殖が持続的に抑制され、衛生的な飲料を供給できる飲料供給装置を提供することにある。
【課題を解決するための手段】
【０００７】
本発明は前記従来の課題を解決するため、請求項１の発明に係る飲料供給装置は、ミネラル水等の飲料が貯留された飲料貯留部と、飲料貯留部から導出された飲料に塩素を付加する塩素発生部と、塩素発生部から導出された飲料を冷却する飲料冷却部と、飲料冷却部から導出された飲料を注水する注水管路とを備えた構造となっている。
【０００８】
請求項１の発明によれば、飲料貯留部から導出され飲料に対して塩素発生部で発生した塩素が付加されるため、飲料中の有効塩素濃度が高くなる。有効塩素濃度が高くなった飲料水が飲料冷却部で冷却され、注水管路を通じて飲料者に提供される。
【０００９】
なお、飲料供給装置は、請求項２の発明の如く、飲料貯留部の飲料出水量を調整するリザーブタンク部を有するものでも良いし、また、請求項３の発明の如く、塩素発生部が飲料貯留部の飲料出水量を調整可能になっているものでも良い。
【００１０】
請求項４の発明は、請求項１乃至請求項３の発明に係る飲料供給装置において、塩素発生部は飲料に直流電圧を印加する一対の電極を有する構造となっている。これにより、電極を通じて飲料に直流電圧が印加されるため、飲料中に含まれている塩素イオンが反応して次亜塩素酸濃度が上昇し、飲料が殺菌される。
【００１１】
請求項４に係る飲料供給装置において、請求項５の発明はリザーブタンクに無機系塩化物を供給可能な塩化物供給部を有し、また、請求項６の発明は飲料貯留部に無機系塩化物を供給可能な塩化物供給部を有している。これにより、飲料貯留部に貯留された飲料が塩素イオン含有率の低いものとなっているときでも、飲料中に塩化物を供給してこの含有率を上昇させることができ、飲料を有効に殺菌することができる。
【００１２】
なお、飲料貯留部やリザーブタンクに抗菌部材、例えば金、銀又は銅等の金属が含有されているときは、抗菌部材の抗菌作用によって、飲料中に浮遊する細菌の繁殖が抑制されるため、その分、塩素発生部で付加される塩素量を少なくすることができる（請求項７、請求項８及び請求項９）。
【００１３】
請求項１０に係る飲料供給装置は、水道水の原水を導水する給水管路と、給水管から導出された飲料に塩素を付加する塩素発生部と、塩素発生部から導出された飲料を冷却する飲料冷却部と、飲料冷却部から導出された飲料を注水する注水管路とを備えた構造となっている。
【００１４】
請求項１０の発明によれば、水道水等などの飲料に対して塩素発生部で発生した塩素が付加されるため、飲料中の有効塩素濃度が高くなる。有効塩素濃度が高くなった飲料水が飲料冷却部で冷却され、蛇口等の端末を通じて飲料者に提供される。
【００１５】
なお、請求項１０に係る飲料供給装置において、塩素発生部の飲料に直流電圧を印加する一対の電極を設けたり（請求項１１）、塩素発生部に無機系塩化物を供給可能な塩化物供給部を設けるようにしてもよい（請求項１２）。
【００１６】
請求項１３の発明は、請求項５、請求項６及び請求項１２に係る飲料供給装置において、塩化物供給部は、塩化物を収納する塩化物収納タンクと、塩化物収納タンクに収納された塩化物を導出する塩化物導出管路と、塩化物導出管路から導出される塩化物供給量を制御する制御弁とを有する構造となっている。請求項１３の発明によれば、塩化物供給部から供給される塩化物供給量を制御できるため、飲料中の塩素イオン濃度等に対応した量の塩化物を供給できる。
【００１７】
請求項１４の発明は、請求項１乃至請求項１３に係る飲料供給装置において、塩素発生部の飲料を飲料冷却部に導く飲料用導水管路と、塩素発生部の飲料を外部に導く洗浄用導水管路とを有する構造となっている。
【００１８】
請求項１４の発明によれば、塩素発生部から導出された飲料は殺菌されており、飲料に好適なものとなっている。また、塩素発生部で次亜塩素酸濃度を高く設定するときは、殺菌機能に優れた水となるため、食器などの洗浄水として好適なものとなるし、また、洗浄後のすすぎ水としても有効なものなる。
【００１９】
なお、前述の如く、塩素発生部内の飲料を洗浄水として利用するときは、飲料に適さない次亜塩素酸濃度となっている場合があるので、塩素発生部内の飲料を全て排出する必要がある。そこで、請求項１５に係る飲料供給装置の如く洗浄水導水管路内の流量を検知する流量検知手段を設け、塩素発生部内の飲料が全て排出されたか否かを検知するようになっている。
【発明の効果】
【００２０】
本発明によれば、塩素発生部により飲料に塩素が付加されているため、飲料の殺菌作用が長時間に亘って維持され、衛生的な飲料を確実に供給することができる。また、飲料自体に細菌抑制作用を備えているため、従来の紫外線照射による殺菌構造と比較して細菌抑制作用が持続するという利点を有する。
【発明を実施するための最良の形態】
【００２１】
図１乃至図３は本発明に係る飲料供給装置の第１実施形態を示すもので、図１は飲料供給装置の断面図、図２（ａ）（ｂ）は飲料供給操作に係る駆動制御を示すタイムチャート、図３は洗浄水供給操作に係る駆動制御を示すタイムチャートである。
【００２２】
本実施形態に係る飲料供給装置は、飲料貯留部、例えばミネラル飲料水等の飲料が貯留された樹脂製の飲料ボトル１０からなり、飲料ボトル１０の下端に有する注水口１０ａから後述するリザーブタンク２０内に飲料を流下するようになっている。また、飲料ボトル１０の構成材料である樹脂として、例えば金、銀或いは銅などの抗菌性を有する金属を担持したものを用いるときは、飲料ボトル１０が抗菌作用を備えることとなり、これにより、飲料ボトル１０内に生息する細菌を殺菌したり、また、この細菌の繁殖を抑制することができる。
【００２３】
リザーブタンク２０は前記飲料ボトル１０を着脱自在に支持するものである。リザーブタンク２０の上部には飲料ボトル１０の注入口１０ａが挿入されており、リザーブタンク２０内に飲料ボトル１０内の飲料が流入するようになっている。また、リザーブタンク２０の上部には外部と連通する空気筒２０ａが設置されており、空気筒２０ａを通じてリザーブタンク２０内に大気圧がかかるようになっている。これにより、リザーブタンク２０内の水位が注入口１０ａの下端開口より低くなったときは、この下端開口から飲料ボトル１０内に空気が流入する一方、その空気が流入した分、飲料ボトル１０からリザーブタンク２０に飲料が流出する。従って、リザーブタンク２０は飲料ボトル１０の飲料出水量を制御するようになっている。また、リザーブタンク２０の下部には開口２０ｂを有し、この開口２０ｂを通じて後述の塩素発生器３０に飲料が流入するようになっている。
【００２４】
塩素発生器３０は有底箱状のシスターン３０ａとシスターン３０ａ内に配置された陰陽一対の電極３０ｂを有している。直流電源３０ｃの直流電圧が電極３０ｂを介して飲料に印加され、シスターン３０ａ内の次亜塩素酸濃度（有効塩素濃度）を高くするようになっている。また、シスターン３０ａの底部には飲料用導水管３０ｄと洗浄用導水管３０ｅが接続されている。飲料用導水管３０ｄは後述する飲料冷却部（冷水タンク４０）に連通している。洗浄用導水管３０ｅは冷水タンク４０を貫通して外部に延在している。また、洗浄用導水管３０ｅの先端側には洗浄用導水管３０ｅを開閉する洗浄水供給弁３０ｆを設け、また、洗浄水供給弁３０ｆより上流側には洗浄水導水管路３０ｅの流量を検知する流量検知器３０ｇを設けている。
【００２５】
冷水タンク４０は飲料用導水管３０ｄを通じて流入した飲料を貯留するものである。冷水タンク４０は断熱壁にて区画されたタンク本体４０ａを有し、タンク本体４０ａの内壁には図示しない冷凍装置の冷媒気化部分である蒸発器４０ｂが設置されている。この蒸発器４０ｂの冷媒気化作用により、タンク本体４０ａ内にアイスバンク４０ｃが形成され、これにより、タンク本体４０ａ内の飲料が冷却されるようになっている。また、タンク本体４０ａの上部には前記リザーブタンク２０が設置され、また、タンク本体４０ａ内には前記塩素発生器３０が収容されている。一方、タンク本体４０ａの下部には後述する注水管５０が連結している。
【００２６】
注水管５０は冷水タンク４０内の飲料を導出するもので、注水管５０の上端がタンク本体４０ａの底部を通じてタンク本体４０ａ内に連通する一方、注水管５０の下端が飲料に用いられるカップＣに向かって延在されている。また、注水管５０の下端側には注水管５０を開閉する飲料供給弁５０ａが設置されている。
【００２７】
以上のように構成された飲料供給装置は飲料供給操作及び洗浄水供給操作を実行することができ、これらの操作は飲料スイッチ６０及び洗浄スイッチ６１で操作される。また、各スイッチ６０，６１及び流量検知器３０ｇからの信号に基づき制御装置６２が飲料供給弁５０ａ、直流電源２０ａ及び洗浄水供給弁３０ｆを図２及び図３のタイムチャートに示すように駆動制御する。なお、この制御装置６２はマイクロコンピュータで構成されており、メモリには飲料供給弁５０ａの開時間Ｔ１や直流電源３０ｃの通電時間Ｔ２が記憶されている。
【００２８】
まず、飲料供給操作に関する駆動制御について図２（ａ）を参照して説明する。飲料スイッチ６０がオンしたとき（飲料を希望する者が飲料スイッチ６０を入れたとき）、飲料供給弁５０ａが時間Ｔ１に亘って開き、冷水タンク４０内の飲料が注水管５０を通じてカップＣに注水される。また、飲料スイッチ６０がオンしたとき直流電源３０ｃも電極３０ｂに時間Ｔ２に亘って通電を行う。このように、飲料供給を開始する毎に塩素発生器３０で塩素を発生させる。この理由は、飲料供給によりタンク本体４０ａ内の水位が下がり、これに伴い、塩素発生器３０にリザーブタンク２０を通じて飲料タンク１０の飲料が流入し、塩素発生器３０内の有効塩素濃度が低下するため、これを補う必要があるからである。図２（ｂ）は他の飲料供給操作に関する駆動制御を示すものである。本駆動制御において前記駆動制御と異なるところは、飲料供給弁５０ａが閉じた後に直流電源３０ｃから各電極３０ｂに通電するようにした点である。このように飲料供給操作の後に有効塩素濃度を上昇させるようにしたので、塩素発生器３０で新たに付加された塩素がシスターン３０内に留まり、タンク本体４０ａからカップＣ側に流れ出すことがなく、タンク本体４０ａを効率よく殺菌することができる。
【００２９】
次に、洗浄水供給操作に関する駆動制御について図３を参照して説明する。まず、洗浄水供給操作を実行する際は、予め飲料ボンベ１０をリザーブタンク２０から外しておく。そして、洗浄スイッチ６１がオンしたとき（食器の洗浄やすすぎを希望する者が洗浄スイッチ６１を入れたとき）、洗浄水供給弁３０ｆが開く。これにより、塩素発生器３０から洗浄水導水管３０ｅを通じて有効塩素濃度の水が注水され、食器洗浄やすすぎに利用される。ここで、洗浄水供給弁３０ｆは流量検知器３０ｇが水流を検知している間は開状態となっている。即ち、塩素発生器３０及びリザーブタンク２０内の水が全て流出し終わるまで洗浄水供給弁３０ｆを開放するよう設定されている。
【００３０】
本実施形態によれば、塩素発生器３０で有効塩素濃度の飲料が生成され、この飲料によって冷水タンク４０内はもとより注水管５０内の細菌繁殖が抑制されるため、飲料の殺菌作用が長時間に亘って維持され、衛生的な飲料を確実に供給することができる。また、飲料自体が細菌抑制作用を備えているため、従来の紫外線照射による殺菌構造と比較して細菌抑制作用が持続する。更に、塩素濃度の高い水を洗浄水として利用でき、便利なものとなっている。
【００３１】
図４及び図５は本発明に係る飲料供給装置の第２実施形態を示すものである。本実施形態は前記第１実施形態に係る飲料供給装置に塩化物供給器７０を設置したものである。なお、前記第１実施形態と同一構成部分は同一符号を用いており、その説明を省略する。
【００３２】
塩化物供給器７０は、塩化物を収納する塩化物タンク７０ａと、塩化物タンク７０ａに接続した塩化物導出管７０ｂと、塩化物導出管７０ｂを開閉する塩化物供給弁７０ｃとを有している。ここで、塩化物としては人体に無害な塩化ナトリウム、塩化カリウムなどの粉状物が用いられている。なお、これら無機塩化物を溶かした水溶液を用いるようにしても良い。塩化物導出管７０ｂはリザーブタンク２０の上部に貫通しており、塩化物供給弁７０ｃを開くとき塩化物タンク７０ａからリザーブタンク２０に塩化物が供給されるようになっている。
【００３３】
本実施形態の飲料供給操作を図５を参照して説明する。飲料スイッチ６０がオンしたときは、前記第１実施形態と同様に、飲料供給弁５０ａが開いて冷水タンク４０内の飲料がカップＣに注水され、また、直流電源３０ｃの電極３０ｂにも通電され有効塩素濃度を上昇させる。本実施形態はこの駆動制御に加え、直流電源３０ｃの通電中に塩化物供給弁７０ｃが開くようにしている。これにより、リザーブタンク２０及び塩素発生器３０に塩化物が溶け込み、塩素発生器３０内の飲料が塩素イオン含有率が上昇するため、電解時に発生する次亜塩素酸量を増大させることができる。なお、その他の構成、作用は前記第１実施形態と同様である。
【００３４】
図６は本発明に係る飲料供給装置の第３実施形態を示すものである。本実施形態は前記第２実施形態に係る塩化物供給器７０を飲料ボトル１０に設置したものである。なお、前記第１実施形態と同一構成部分は同一符号を用いており、その説明を省略する。
【００３５】
即ち、塩化物供給器７０の塩化物導出管７０ｂの下端を飲料ボトル１０の上部に接続し、塩化物タンク７０ａを飲料ボトル１０内に供給するようになっている。このような構造によっても、電解時に発生する次亜塩素酸量を増大させることができる。なお、その他の構成、作用は前記第２実施形態と同様である。
【００３６】
図７は本発明に係る飲料供給装置の第４実施形態を示すものである。前記第１乃至第３実施形態では塩素発生器及びリザーブタンクを冷水タンクに設置している。これに対して、本実施形態では塩素発生器３１を冷水タンク４１から離隔して別個に設け、かつ、塩素発生器３１にリザーブタンク機能を付加した構造となっている。なお、前記第２実施形態と同一構成部分は同一符号を用いており、その説明を省略する。
【００３７】
この塩素発生器３１は有底箱状のシスターン３１ａと、シスターン３１ａの上面開口を閉塞する蓋体３１ｂと、シスターン３１ａ内に配置された陰陽一対の電極３１ｃを有している。この電極３１ｃには、前記各実施形態と同様に、直流電源３１ｄから給電され、シスターン３１ａ内の有効塩素濃度を上昇させることができる。また、蓋体３１ｂには前記飲料ボトル１０の注入口１０ａが挿入されており、シスターン３１ａ内に飲料ボトル１０内の飲料が流入するようになっている。また、蓋体３１ｂには外部と連通する空気筒２０ａが設置されており、空気筒２０ａを通じてシスターン３１ａ内に大気圧がかかるようになっている。これにより、シスターン３１ａ内の水位が注入口１０ａの下端開口より低くなったときは、この下端開口から飲料ボトル１０内に空気が流入する一方、その空気が流入した分、飲料ボトル１０からシスターン３１ａに飲料が流入する。従って、塩素発生器３１は飲料ボトル１０の飲料出水量を制御する機能も兼ね備えている。また、蓋体３１ｂには前記第２実施形態と同様の塩化物供給器７０が設置されており、塩化物供給器７０内の塩化物を塩素発生器３１内に供給できるようになっている。更に、シスターン３１ａの底部には、前記各実施形態と同様に、飲料用導水管３０ｄと洗浄用導水管３０ｅが接続されている。飲料用導水管３０ｄは冷水タンク４１の上部に連通している。洗浄用導水管３０ｅは冷水タンク４１を貫通することなく外部に延在しており、前記各実施形態と同様に、洗浄水供給弁３０ｆ及び流量検知器３０ｇを設けている。
【００３８】
冷水タンク４１は箱状に形成され、前記各実施形態と同様にタンク本体４１ａの内壁には蒸発器４１ｂを設置し、タンク本体４１ａ内に形成されたアイスバンク４１ｃで飲料を冷却するようになっている。なお、冷水タンク４１の底部には前記各実施形態と同様に飲料供給弁５０ａを備えた注出管５０が接続している。
【００３９】
本実施形態によれば、塩素発生器３１がリザーブタンクの機能を兼ね備え、飲料供給装置全体の構造が簡単となっている。なお、その他の構成、作用は前記第２実施形態と同様である。
【００４０】
図８乃至図１０は本発明に係る飲料供給装置の第５実施形態を示すものである。前記第４実施形態に係る塩素発生器３１の水位はリザーブタンク機能により調整されている。これに対して、本実施形態に係る塩素発生器３２はフロートスイッチ３２ｅを用いて飲料ボトル１０の飲料出水量を調整する構造となっている。なお、前記第４実施形態と同一構成部分は同一符号を用いており、その説明を省略する。
【００４１】
塩素発生器３２は有底箱状のシスターン３２ａと、シスターン３２ａの上面開口を閉塞する蓋体３２ｂと、シスターン３２ａ内に配置された陰陽一対の電極３２ｃを有している。この電極３２ｃには、前記各実施形態と同様に、直流電源３２ｄから給電され、シスターン３２ａ内の有効塩素濃度を上昇させることができる。また、蓋体３２ｂには前記第２実施形態と同様の塩化物供給器７０が設置されており、塩化物供給器７０内の塩化物を塩素発生器３２内に供給できるようになっている。更に、シスターン３２ａの底部には、前記第４実施形態と同様に、飲料用導水管３０ｄと洗浄用導水管３０ｅが接続されている。
【００４２】
このように構成された塩素発生器３２において、本実施形態に係る飲料ボトル１０には飲料ボトル１０内の飲料を塩素発生器３２に導く飲料注入管１１を有している。また、飲料注入管１１にはこれを開閉する給水弁１１ａを有している。更に、塩素発生器３２内にはシスターン３２ａ内の飲料の水位を検知するフロートスイッチ３２ｅを有している。
【００４３】
以上のように構成された飲料供給装置において、塩素発生器３２内の水位制御操作及び洗浄水供給操作を図９及び図１０を参照して説明する。ここで、前記実施形態で説明したように、制御装置６２には直流電源３２ｄの通電時間Ｔ２などが設定されており、また、飲料スイッチ６０、洗浄スイッチ６１、フロートスイッチ３２ｅ、流量検知器３０ｇなどからの信号に基づき直流電源３２ｄ、給水弁１１ａ、塩化物導入弁７０ｃ、洗浄水供給弁３０ｆなどを制御するようになっている。
【００４４】
まず、塩素発生装置３２内の水位制御操作について図９を参照して説明する。塩素発生器３２内の水位が下がりフロートスイッチ３２ｅの下限値となったときはオンし、フロートスイッチ３２ｅのオン信号に基づき給水弁１１ａが開動作する。これにより、飲料ボトル１０内の飲料が飲料注入管１１を通じて塩素発生器３２内に流入する。また、この飲料注入と同時に直流電源３２ｄから各電極３２ｃに通電され、塩素発生装置３２内の有効塩素濃度を上昇させる。この飲料注入により塩素発生装置３２内の水位が上昇しフロートスイッチ３２ｅの上限値に達したときは、給水弁１１ａが閉動作する。これにより、飲料ボトル１０内の飲料の注入操作が終了する。直流電源３２ｄの通電時間は前記第１実施形態と同様であり時間Ｔ２に亘って通電を行い、塩化物供給弁７０ｃが開くようにしている。これにより、塩素発生器３２に塩化物が溶け込み、塩素発生器３２内の飲料が塩素イオン含有率が上昇するため、電解時に発生する次亜塩素酸量が増大する。
【００４５】
次に、洗浄水供給操作に関する駆動制御について図１０を参照して説明する。洗浄スイッチ６１がオンしたとき、洗浄水供給弁３０ｆが開く。これにより、塩素発生器３２から洗浄水導水管３０ｅを通じて有効塩素濃度の水が注水され、食器洗浄やすすぎに利用される。ここで、洗浄水供給弁３０ｆは流量検知器３０ｇが水流を検知している間は開状態となっている。即ち、塩素発生器３２及びリザーブタンク２０内の水が全て流出し終わるまで洗浄水供給弁３０ｆを開放するよう設定されている。
【００４６】
このような洗浄水供給操作の継続中に塩素発生器３２の水位が下がるため、フロートスイッチ３２ｅの下限値に至りフロートスイッチ３２ｅがオンするが、給水弁１１ａは閉となっている。一方、洗浄水供給操作が終了したときはフロートスイッチ３２ｅのオン信号を受け給水弁１１ａが開動作する。これにより、飲料ボトル１０から塩素発生器３２に飲料が注入される。この飲料注入により塩素発生装置３２内の水位が上昇しフロートスイッチ３２ｅの上限値に達したときは、給水弁１１ａが閉動作する。これにより、飲料ボトル１０内の飲料の注入操作が終了する。この飲料注入操作が終了したときは、直流電源３２ｄから所定時間に亘って電極３２ｃに直流電流が通電されるとともに、塩化物供給弁７０ｃが開動作して塩化物が塩素発生器３２に投入される。これにより、塩素発生器３２内の飲料の有効酸素濃度が上昇し待機状態となる。
【００４７】
図１１は本発明に係る飲料供給装置の第６実施形態を示すものである。本実施形態は前記第５実施形態に係る塩化物供給器７０を飲料ボトル１０に設置したものである。なお、前記第５実施形態と同一構成部分は同一符号を用いており、その説明を省略する。
【００４８】
即ち、塩化物供給器７０の塩化物導出管７０ｂの下端を飲料ボトル１０の上部に接続し、塩化物タンク７０ａを飲料ボトル１０内に供給するようになっている。このような構造によっても、電解時に発生する次亜塩素酸量を増大させることができる。なお、その他の構成、作用は前記第５実施形態と同様である。
【００４９】
図１２は本発明に係る飲料供給装置の第７実施形態を示すものである。前記各実施形態では飲料ボトル内の飲料を飲料水として用いたり或いは洗浄水として用いている。これに対して、本実施形態は水道水を飲料水或いは洗浄水として用いるものである。なお、前記第５実施形態と同一構成部分は同一符号を用いており、その説明を省略する。
【００５０】
即ち、水道水が導かれる給水管８０を塩素発生器３２の蓋体３２ｂに接続し、水道水を塩素発生器３２内に給水するようになっている。また、給水管８０には給水弁８０ａを設置している。なお、塩素発生器３２内の水位制御操作及び洗浄水供給操作は、前記第５実施形態に係る給水弁１１ａを給水弁８０ａに置き換えればよく、他は前記第５実施形態と同様である。
【図面の簡単な説明】
【００５１】
【図１】第１実施形態に係る飲料供給装置の断面図
【図２】第１実施形態に係る飲料供給装置の飲料供給操作の駆動制御を示すタイムチャート
【図３】第１実施形態に係る飲料供給装置の洗浄水供給操作の駆動制御を示すタイムチャート
【図４】第２実施形態に係る飲料供給装置の断面図
【図５】第２実施形態に係る飲料供給装置の飲料供給操作の駆動制御を示すタイムチャート
【図６】第３実施形態に係る飲料供給装置の一部省略断面図
【図７】第４実施形態に係る飲料供給装置の断面図
【図８】第５実施形態に係る飲料供給装置の断面図
【図９】第５実施形態に係る飲料供給装置の水位調整操作の駆動制御を示すタイムチャート
【図１０】第５実施形態に係る飲料供給装置の洗浄水供給操作の駆動制御を示すタイムチャート
【図１１】第６実施形態に係る飲料供給装置の一部断面図
【図１２】第７実施形態に係る飲料供給装置の断面図
【符号の説明】
【００５２】
１０…飲料ボトル、２０…リザーブタンク、３０，３１，３２…塩素発生器、４０…冷水タンク、５０…注水管、６０…飲料スイッチ、６１…洗浄スイッチ、６２…制御装置、７０…塩化物供給器、８０…給水管。
【図１】
2006176179.tif 000003
【図２】
2006176179.tif 000004
【図３】
2006176179.tif 000005
【図４】
2006176179.tif 000006
【図５】
2006176179.tif 000007
【図６】
2006176179.tif 000008
【図７】
2006176179.tif 000009
【図８】
2006176179.tif 000010
【図９】
2006176179.tif 000011
【図１０】
2006176179.tif 000012
【図１１】
2006176179.tif 000013
【図１２】
2006176179.tif 000014